(57)【要約】【課題】河川等に呼び線を安全かつ円滑に架設することを可能にした呼び線架設用おもりを提供すること。【解決手段】呼び線５０の端部に取り付けられ、遠方に飛ばすことによって呼び線５０を架設することに用いられる呼び線架設用おもり１であって、液体が内部に収容される可撓性を有する内側袋１０と、内側袋１０が気体とともに内部に収容される可撓性を有する外側袋２０と、を有する構成である。これにより、人に当たっても安全な呼び線架設用おもり１を提供することが可能になる。【選択図】図１
2016128641.tif 000002
【特許請求の範囲】
【請求項１】
呼び線の端部に取り付けられ、遠方に飛ばすことによって前記呼び線を架設するための呼び線架設用おもりであって、液体が内部に収容される可撓性を有する内側袋と、当該内側袋が気体とともに内部に収容される可撓性を有する外側袋と、を有することを特徴とする呼び線架設用おもり。
【請求項２】
前記外側袋は、気体を注入して膨らませた場合に流線形状になることを特徴とする請求項１記載の呼び線架設用おもり。
【発明の詳細な説明】
【技術分野】
【０００１】
本発明は、オイルフェンス、救助ロープ等の敷くための呼び線を張る際に用いられ、呼び線の端部を取り付けて遠方に飛ばすための呼び線架設用おもりに関する。
【背景技術】
【０００２】
従来、河川における災害救助やオイルフェンスの設置作業等において、河川を横断するようにロープを架設することが行われる。ここで問題となるのは、ロープを一端を如何にして河岸から向こう岸に送り届けるかという点である。作業員が移動できる程度の川幅及び深さであったり、近くに橋があったりする場合には、作業員がロープの一端を持って直接向こう岸に送り届けることができる。
【０００３】
しかし、川幅が広く歩いて渡れない深さの河川においては、作業員がロープの一端を持って直接向こう岸に送り届けることは困難である。このような場合には、ロープよりも細くて軽い呼び線を、河川を横断するように架設してから、この呼び線にロープの一端を固定して呼び線を引っ張ることにより、河川を横断するようにロープが架設される。
【０００４】
呼び線を架設する方法としては、呼び線の一端部を結び付けた小石を向こう岸に投げる方法や、ラジコンヘリコプターあるいは特許文献１に記載されているペットボトルロケットを用いる方法がある。更には、投げ釣り用の釣り竿を用いて、向こう岸におもりを飛ばしておもりを送り届け、おもりに繋がっているテグスを呼び線として用いる方法がある。
【先行技術文献】
【特許文献】
【０００５】
【特許文献１】特開２００９−２６９５０８号公報
【発明の概要】
【発明が解決しようとする課題】
【０００６】
しかしながら、ラジコンヘリコプターあるいはペットボトルロケットを用いる方法は、風が強い時などには使用できない。また、向こう岸に呼び線の一端を送り届けることに失敗した場合には、ラジコンヘリコプターあるいはペットボトルロケットのセッティングを再度行う必要があるためやり直しが難しい。
【０００７】
小石や釣りのおもりを向こう岸に投げる方法は、向こう岸側に小石や釣りのおもりが届かなかった場合において、河岸の作業員が呼び線を引っ張って小石や釣りのおもりを河岸の作業員に戻すことにより、再度、向こう岸に投げることができる。しかし、小石や釣りのおもりは水中に沈んでしまうことから、呼び線を引っ張った際に、川底の藻や石に小石や釣りのおもりが引っ掛かってしまい、呼び線を張る作業が遅れるおそれがある。また、小石や釣りのおもりを向こう岸に投げた際に、向こう岸側の作業員あるいは救助対象の人に小石や釣りのおもりが当たる可能性があるため、向こう岸側の人の安全性を確保する必要がある。
【０００８】
本発明は、このような問題点を解決し、河川等に呼び線を安全かつ円滑に架設することを可能にした呼び線架設用おもりを提供することを目的とする。
【課題を解決するための手段】
【０００９】
前記目的を達成するため、本発明は、次に記載する構成を備えている。
【００１０】
（１）  呼び線の端部に取り付けられ、遠方に飛ばすことによって前記呼び線を架設するための呼び線架設用おもりであって、液体が内部に収容される可撓性を有する内側袋と、当該内側袋が気体とともに内部に収容される可撓性を有する外側袋と、を有することを特徴とする呼び線架設用おもり。
【００１１】
（１）によれば、呼び線架設用おもりは、液体が入った内側袋及び気体が入った外側袋がともに弾力性及び柔軟性を有している。このため、飛んできた呼び線架設用おもりが作業員に当たったとしても、内側袋あるいは外側袋が破裂したりあるいは変形したりすることによって衝撃が分散あるいは吸収されるため、作業員にケガを負わせることはない。また、河川における使用時に、河岸から向こう岸に呼び線架設用おもりを飛ばした際に、仮に、呼び線架設用おもりが向こう岸に届かなくても、外側袋の内部の気体によって、呼び線架設用おもりが水上に浮くようになる。このため、河岸の作業員が、呼び線を引っ張って呼び線架設用おもりを戻すことが容易に可能になり、再度、呼び線架設用おもりを向こう岸に飛すことが容易に可能になる。
【００１２】
（２）  （１）において、前記外側袋は、気体を注入して膨らませた場合に流線形状になることを特徴とする呼び線架設用おもり。
【００１３】
（２）によれば、呼び線架設用おもりを飛ばしている際に空気抵抗を受けにくくなるため、呼び線架設用おもりをより遠方に飛ばすことが可能になる。
【発明の効果】
【００１４】
本発明によれば、河川等に呼び線を安全かつ円滑に敷設することを可能にしたおもりを提供することが可能になる。
【図面の簡単な説明】
【００１５】
【図１】本発明の一実施形態における呼び線架設用おもり１の内部構成を示す説明図である。
【図２】本発明の一実施形態における呼び線架設用おもり１の使用例を示す説明図である。
【図３】本発明の一実施形態における呼び線架設用おもり１の内部構成を示す説明図である。
【図４】本発明の一実施形態における呼び線架設用おもり１の変形例を示す説明図である。
【図５】本発明の一実施形態における呼び線架設用おもり１の変形例を示す説明図である。
【図６】本発明の一実施形態における呼び線架設用おもり１の他の使用例を示す説明図である。
【発明を実施するための形態】
【００１６】
以下、本発明の実施形態について、図面を参照しながら詳細に説明する。
図１は、本発明の一実施形態における呼び線架設用おもり１の内部構成を示す説明図である。呼び線架設用おもり１は、内側袋１０と、外側袋２０と、サルカン３０と、を備えている。
【００１７】
内側袋１０は、ゴム製の袋体からなり、内部に液体が封入されている。このため、内側袋１０は、液体によって膨らんだ弾性を有する立体形状をなしている。本実施形態においては、内側袋１０は、楕円体に形成されており、内側袋１０の内部の液体は水である。
【００１８】
外側袋２０は、可撓性を有する樹脂製の袋体からなり、内部に内側袋１０が収納される。外側袋２０は、空気の注入口（図示せず）を備えており、この注入口から外側袋２０の内部に空気を注入して、注入口を封止することにより、空気によって膨らんで流線形の回転体に形成される。ここで、空気の注入は、外側袋２０が流線形の回転体になるとともに、外側袋２０の表面が柔軟性を有する程度に注入するとよい。なお、外側袋２０の流線形において、丸みを帯びている側を先端側、先細りの側を後端側と称することにする。
【００１９】
サルカン３０は、呼び線５０と外側袋２０及び内側袋１０とを連結するための部材である。サルカン３０は、回転自在な一対のリング部を備えている。一方のリング部には、外側袋２０の後端部が連結され、更に外側袋２０の内部に収納されている内側袋１０が連結されている。他方のリング部には、呼び線５０の先端部が連結される。
【００２０】
次に、本実施形態の呼び線架設用おもり１の使用例について説明する。ここでは、河川にオイルフェンスを設置するための呼び線５０を、投げ釣り用の釣り竿を用いて架設する例について説明する。この例においては、釣り竿に装着されているリールに巻線されているテグスが呼び線５０となる。
【００２１】
まず、河岸と向こう岸にそれぞれ作業員を配置し、河岸の作業員が、図２（ａ）に示すように、釣り竿のテグスに呼び線架設用おもり１を取り付けて、図２（ｂ）に示すように、呼び線架設用おもり１を向こう岸に飛ばす。
【００２２】
呼び線架設用おもり１が向こう岸に届いた後、河岸の作業員は、図２（ｃ）に示すように、テグスにオイルフェンス設置用ロープ６０を取り付ける。その後、向こう岸の作業員が、テグスを引っ張ることにより、図２（ｄ）に示すように、河川を横断するようにオイルフェンス設置用ロープ６０が架設される。
【００２３】
そして、河岸の作業員が、オイルフェンス設置用ロープ６０にオイルフェンス７０を取り付け、図２（ｅ）に示すように、オイルフェンス７０をオイルフェンス設置用ロープ６０に沿って送り出すことにより、河川にオイルフェンス７０が設置される。
【００２４】
なお、上述した使用例においてはオイルフェンス設置用ロープ６０を河岸側に用意したが、それに限らず、向こう岸側に用意して、向こう岸の作業員がテグス（呼び線５０）にオイルフェンス設置用ロープ６０の一端を取り付ける。そして、河岸の作業員が、釣り竿についているリールを巻き上げることによってオイルフェンス設置用ロープ６０を河岸側に移動させてもよい。
【００２５】
ここで、図２（ｆ）に示すように、呼び線架設用おもり１を向こう岸に飛ばした際に、呼び線架設用おもり１が向こう岸の作業員に当たる可能性がある。仮に、呼び線架設用おもり１が向こう岸の作業員に当たったとしても、作業員にケガを負わせることはない。
【００２６】
具体的に、細長い風船に水を入れ、この細長い風船を中くらいの風船に入れて、この中くらいの風船に空気を入れて口を縛り、更に、中くらいの風船を大きな風船に入れ、空気を入れて大きな風船の口を縛ることで、実験用の呼び線架設用おもり１を作成した。この実験用の呼び線架設用おもり１においては、細長い風船が内側袋１０に相当し、大、中の風船が外側袋２０に相当する。
【００２７】
そして、実験用の呼び線架設用おもり１を５０ｍ程飛ばし、５０ｍ先に配置した実験員にキャッチさせる実験を行った。その結果、キャッチの際に痛みを伴うことがなく、ケガの心配がないことが分かった。
【００２８】
なお、図２（ｂ）に示すように、呼び線架設用おもり１を飛ばした際に、呼び線架設用おもり１が向こう岸に届かなかった場合には、河岸の作業員が、釣り竿についているリールを巻き上げることによって呼び線架設用おもり１を戻して、再度、呼び線架設用おもり１を向こう岸に飛ばす。ここで、呼び線架設用おもり１が河川に着水した場合に、呼び線架設用おもり１は、外側袋２０の内部の気体によって水上に浮くようになるため、河岸の作業員が釣り竿についているリールを巻き上げる際に、呼び線架設用おもり１が異物に引っ掛かることが低減される。
【００２９】
以上説明したように構成された本実施形態によれば、呼び線架設用おもり１は、液体が入った内側袋１０及び気体が入った外側袋２０がともに弾力性及び柔軟性を有しているため、飛んできた呼び線架設用おもり１が作業員に当たったとしても、作業員にケガを負わせることはない。また、河川における使用時に、河岸から向こう岸に呼び線架設用おもり１を飛ばした際に、仮に、呼び線架設用おもり１が向こう岸に届かなくても、外側袋２０の内部の気体によって、呼び線架設用おもり１が水上に浮くようになる。このため、河岸の作業員が、呼び線５０を引っ張って呼び線架設用おもり１を戻すことが容易に可能になり、再度、呼び線架設用おもり１を向こう岸に飛ばすことが容易に可能になる。
【００３０】
また本実施形態によれば、外側袋２０が、流線形状であるため、呼び線架設用おもり１を飛ばしている際に、呼び線架設用おもり１が空気抵抗を受けにくくなり、より遠方に飛ばすことが可能になる。
【００３１】
また、呼び線架設用おもり１を飛ばしている際に、呼び線架設用おもり１の内部においては遠心力によって内側袋１０の後端側が伸びて先端側が膨らむ。しかし、内側袋１０がサルカン３０に固定されているため、図３に示すように、内側袋１０の先端側が外側袋２０の先端まで到達することが困難になる。また、内側袋１０の先端側が外側袋２０に到達しても、外側袋２０を押圧して先端側を変形させることが低減される。これにより、内側袋１０の先端側が膨らむことによって外側袋２０の先端側も膨らんで空気抵抗を受け易くなることが低減され、呼び線架設用おもり１の流線形状が維持されるようになる。その結果、呼び線架設用おもり１が空気抵抗を受けにくくなり、より遠方に飛ばすことが可能になる。
【００３２】
以上、本発明の実施形態について説明したが、本発明の実施形態は上述した実施形態に限るものではない。例えば、図４に示すように、外側袋２０の内部に発泡体であるウレタン２２を敷き詰めて、内側袋１０の位置を外側袋２０の先端側に固定してもよい。これにより、外側袋２０に小さい穴が空いたとしても、呼び線架設用おもり１の流線形が維持され、しばらくの間であれば呼び線架設用おもり１を水上に浮かせることが可能になる。また、内側袋１０の位置が先端側に固定されるため、呼び線架設用おもり１の空中姿勢を安定させることが可能になり、より遠方に飛ばすことが可能になる。
【００３３】
また、上述した実施形態においては、外側袋２０は樹脂製の袋体からなるものであるが、内側袋１０と同様にゴム製でもよい。但し、外側袋２０をゴム製とした場合、呼び線架設用おもり１の釣り竿のテグスに付けてキャスティングした際に、呼び線架設用おもり１が必要以上に伸長しないように設計することが望ましい。
【００３４】
また、上述した実施形態においては、内側袋１０がサルカン３０に固定されているが、外側袋２０が変形しにくい構造であり、外側袋２０の内部で内側袋１０が変形しても、外側袋２０の流線形状が維持されるのであれば、内側袋１０がサルカン３０に固定されなくてもよい。これにより、呼び線架設用おもり１を飛ばしている際に、図５に示すように、内側袋１０が外側袋２０の先端側に移動するため、呼び線架設用おもり１の重心が、外側袋２０の先端側に移動する。このため、呼び線架設用おもり１の空中姿勢を安定させることが可能になり、より遠方に飛ばすことが可能になる。また、内側袋１０の周囲に空気層が形成されているため、呼び線架設用おもり１が落ちた時に内側袋１０に加わる衝撃が緩和され、内側袋１０が破裂することを防止することができる。
【００３５】
また、上述した実施形態においては、内側袋１０の内部の液体が水であるが、水の代わりに流動性を有するゲル状部材を用いてもよい。これにより、呼び線架設用おもり１の重さを確保することが可能になり、より遠方に飛ばすことが可能になる。
【００３６】
また、上述した実施形態においては、呼び線架設用おもり１と呼び線５０との連結に、サルカン３０を用いているが、それに限らず外側袋２０の後端部をリング状に形成してもよく、連結構造については適宜設定可能である。
【００３７】
また、上述した実施形態においては、オイルフェンスの設置に使用した例について説明したが、図６に示すように、例えば、ゲリラ豪雨のような自然災害によって、河川の中州に取り残された人の救助に使用することができる。
【００３８】
具体的には、河岸と向こう岸にそれぞれ救助員を配置する。救助ロープ８０は向こう岸側に配置する。河岸の救助員は、図６（ａ）に示すように、釣り竿のテグスに呼び線架設用おもり１を取り付けて、図６（ｂ）に示すように、呼び線架設用おもり１を向こう岸に飛ばす。釣り竿は、河川で釣りをしていた人から借りてもよい。
【００３９】
呼び線架設用おもり１が向こう岸に届いた後、向こう岸の救助員は、図６（ｃ）に示すように、テグスに救助ロープ８０を取り付ける。その後、河岸の救助員が、釣り竿のリールを巻き取り、テグスを引っ張ることによって、河川を横切るように救助ロープ８０が架設される。この際、救助ロープ８０が中州を通っていない場合には、救助員が救助ロープ８０を持って移動して、救助ロープ８０が中州を通るようにする。これにより、図６（ｄ）に示すように、中州を通るように救助ロープ８０が架設される。そして、図６（ｅ）に示すように、中州の人が救助ロープ８０を伝って河岸に移動することにより、救助が完了する。
【符号の説明】
【００４０】
１  呼び線架設用おもり
１０  内側袋
２０  外側袋
２２  ウレタン
３０  サルカン
５０  呼び線
６０  オイルフェンス設置用ロープ
７０  オイルフェンス
８０  救助ロープ
【図１】
2016128641.tif 000003
【図２】
2016128641.tif 000004
【図３】
2016128641.tif 000005
【図４】
2016128641.tif 000006
【図５】
2016128641.tif 000007
【図６】
2016128641.tif 000008